(57)【特許請求の範囲】
【請求項１】
複数枚のディスプレイ用平面ガラス板を垂直に載置及び包装するためのディスプレイ用平面ガラス板の包装コンテナであって、
前記ディスプレイ用平面ガラス板の包装コンテナの基本骨格を形成し、載置される前記各ディスプレイ用平面ガラス板の下端を支持するために形成される載置面と、前記載置面の後端部に前記載置面と垂直をなして形成され、前記各ディスプレイ用平面ガラス板の背面を支持する背もたれ面とを有する載置フレームと、
前記載置されたディスプレイ用平面ガラス板を固定するための平面ガラス板固定装置と、
前記載置フレームの正面の一端に一側端が固定されて開閉されると共に、前記載置フレームの開放された正面を開閉する正面ドアと、
前記背もたれ面と前記載置面の両側端を連結して形成される前記載置フレームの左右側面壁の上端に設けられるレールに沿って、前後に動くと共に前記載置フレームの開放された上面を開閉する摺動ドアとを備えることを特徴とするディスプレイ用平面ガラス板の包装コンテナ。
【請求項２】
前記載置面の上面、前記背もたれ面の正面、及び前記背もたれ面と前記載置面の両側端を連結して形成される前記載置フレームの側面壁の内側に、前記ディスプレイ用平面ガラス板を保護するための緩衝材をさらに備えることを特徴とする請求項１に記載のディスプレイ用平面ガラス板の包装コンテナ。
【請求項３】
複数枚のディスプレイ用平面ガラス板を垂直に載置及び包装するためのディスプレイ用平面ガラス板の包装コンテナであって、
前記ディスプレイ用平面ガラス板の包装コンテナの基本骨格を形成し、載置される前記各ディスプレイ用平面ガラス板の下端を支持するために形成される載置面と、前記載置面の後端部に載置面と垂直をなして形成され、前記各ディスプレイ用平面ガラス板の背面を支持する背もたれ面とを有する載置フレームと、
前記載置されたディスプレイ用平面ガラス板を固定するための平面ガラス板固定装置と、
相互連結されている複数個のドア片からなり、前記各ドア片が回転して互いに重ねられることにより、前記載置フレームの開放された正面を開閉する正面ドア片と、互いに重ねられた前記正面ドア片が回転して重ねられ、前後に動いて前記載置フレームの開放された側面を開閉し、上端に所定の大きさで突設された係止段を有する側面ドア片とからなる左右の第１のドアと、
前記載置フレームの開放された上面を開閉する第２のドアとを備えることを特徴とするディスプレイ用平面ガラス板の包装コンテナ。
【請求項４】
前記側面ドア片が、上端に所定の大きさで突設された係止段を有し、前記ディスプレイ用平面ガラス板の包装コンテナが、第１の端部が前記係止段に接触して前後に動き、第２の端部が前記第２のドアの底面を受けながら固定される第１のリンク片と、第１の端部が前記載置フレームの上端の後方に固定され、第２の端部が前記第１のリンク片に締結されている第２のリンク片とからなる折畳式リンクをさらに備え、前記側面ドア片の後方への動きが前記係止段を介して伝達され、前記折畳式リンクが折り畳まれると共に前記第２のドアを持ち上げることを特徴とする請求項３に記載のディスプレイ用平面ガラス板の包装コンテナ。
【請求項５】
前記正面ドア片をなす各ドア片が、中央のドア片よりも外廓のドア片の幅がさらに広いことを特徴とする請求項３に記載のディスプレイ用平面ガラス板の包装コンテナ。
【請求項６】
前記正面ドア片の各ドア片と前記側面ドア片の上端と下端に、相互蝶番で連結される連結リンクをさらに備えることを特徴とする請求項３に記載のディスプレイ用平面ガラス板の包装コンテナ。
【請求項７】
前記折畳式リンクが複数個であり、前記各折畳式リンクの前記第１のリンク片の第１の端部を相互連結させる連結棒をさらに備えることを特徴とする請求項４に記載のディスプレイ用平面ガラス板の包装コンテナ。
【請求項８】
前記載置面の上面と前記背もたれ面の正面に、前記ディスプレイ用平面ガラス板を保護するための緩衝材をさらに備えることを特徴とする請求項３に記載のディスプレイ用平面ガラス板の包装コンテナ。
【請求項９】
前記載置されたディスプレイ用平面ガラス板間に配置され、前記載置されたディスプレイ用平面ガラス板の全体面の少なくとも９０％以上の面と接触する離間材と、前記載置されたディスプレイ用平面ガラス板のうち最前部に載置されたディスプレイ用平面ガラス板の前に載置される補強材とをさらに備えることを特徴とする請求項１乃至３のうちいずれか１項に記載のディスプレイ用平面ガラス板の包装コンテナ。
【請求項１０】
前記平面ガラス板固定装置が、クランプであることを特徴とする請求項１乃至３のうちいずれか１項に記載のディスプレイ用平面ガラス板の包装コンテナ。
【請求項１１】
前記平面ガラス板固定装置が、左右１対の伸縮性のあるベルトと、前記各ベルトの固定されていない一端で相互締結をなす締結手段とを備えることを特徴とする請求項１乃至３のうちいずれか１項に記載のディスプレイ用平面ガラス板の包装コンテナ。
【請求項１２】
前記平面ガラス板固定装置が、前端が開放されたコ字状で形成され、垂直方向に折り曲げられ、背もたれ面の前方に左側端と右側端に左右１対をなしてそれぞれ設けられる複数個の支持棒結束手段と、長い棒状をなして両端部が左右の前記各支持棒結束手段の開放された前端に挿入及び結束される支持棒とからなり、前記各支持棒結束手段が、前記支持棒の両端部が挿入して接触する一面が歯車状からなることを特徴とする請求項１乃至３のうちいずれか１項に記載のディスプレイ用平面ガラス板の包装コンテナ。
【請求項１３】
前記正面ドアが、前記背もたれ面と前記載置面の両側端を連結して形成される前記載置フレームの左右側面壁にそれぞれ一側端が固定され、屏風のように多段で構成されて開閉されると共に、前記載置フレームの開放された正面を開閉する左右ドアからなることを特徴とする請求項１に記載のディスプレイ用平面ガラス板の包装コンテナ。
【請求項１４】
前記ディスプレイ用平面ガラス板の包装コンテナが、前記載置フレームの左右側面壁の上端を相互連結し、前記左右ドアの固定されていない一側端の上端がそれぞれ締結されて前記左右ドアの動きをガイドする第１のドアレールと、前記載置フレームの左右側面壁の下端を相互連結し、前記左右ドアの固定されていない一側端の下端がそれぞれ締結されて前記左右ドアの動きをガイドする第２のドアレールとをさらに備えることを特徴とする請求項１３に記載のディスプレイ用平面ガラス板の包装コンテナ。
【請求項１５】
複数枚のディスプレイ用平面ガラス板を垂直に載置及び包装するためのディスプレイ用平面ガラス板の包装コンテナであって、
前記ディスプレイ用平面ガラス板の包装コンテナの基本骨格を形成し、載置される前記各ディスプレイ用平面ガラス板の下端を支持するために形成される載置面と、前記載置面の後端部に前記載置面と垂直をなして形成され、前記各ディスプレイ用平面ガラス板の背面を支持する背もたれ面とを有する載置フレームと、
前記載置されたディスプレイ用平面ガラス板を固定するための平面ガラス板固定装置と、
相互連結されている複数個のドア片からなり、各ドア片が回転して互いに重ねられることにより、前記載置フレームの開放された正面を開閉する正面ドア片と、
互いに重ねられた前記正面ドア片が回転して重ねられ、前後に動いて前記載置フレームの開放された側面を開閉する左右の側面ドアと、
前記載置面の上面部と前記載置面の後方に延長形成され、前記各側面ドアの下端部が係着され前記各側面ドアの前後方向の動きを支持する支持枠とを備えることを特徴とするディスプレイ用平面ガラス板の包装コンテナ。
【請求項１６】
前記各側面ドアの下端部には、前記支持枠に締結される突起が設けられていることを特徴とする請求項１５に記載のディスプレイ用平面ガラス板の包装コンテナ。
【請求項１７】
前記平面ガラス板固定装置が、前端が開放されたコ字状で形成され、垂直方向に折り曲げられ、背もたれ面の前方に左側端と右側端に左右１対をなしてそれぞれ設けられる複数個の支持棒結束手段と、長い棒状をなして両端部が左右の前記各支持棒結束手段の開放された前端に挿入及び結束される支持棒とからなり、前記各支持棒結束手段が、前記支持棒の両端部が挿入して接触する一面が歯車状からなることを特徴とする 請求項１５に記載のディスプレイ用平面ガラス板の包装コンテナ。
【発明の詳細な説明】
【技術分野】
【０００１】
本発明は、ディスプレイ用平面ガラス板の包装コンテナ及び包装方法に関し、より詳しくは、 Ｌ字状のフレームに複数枚のディスプレイ用平面ガラス板を大量載置し、包装資材がフレームと一体型となり、作業効率を高めることができるディスプレイ用平面ガラス板の包装コンテナ及び包装方法に関する。
【背景技術】
【０００２】
ディスプレイの大型化につれて、液晶ディスプレイパネルやプラズマディスプレイパネルといったフラットディスプレイパネルの基板材料として用いられる平面ガラス板もまた大型化されている。このため、ディスプレイ用平面ガラス板の載置及び輸送のために、従来の水平載置方式を用いる場合、作業の効率性が顕著に劣るだけでなく、平面ガラス板間の相互接触や外部汚染物質により、平面ガラス板が汚染または損傷するという問題があった。
【０００３】
このような問題点を解決するために、平面ガラス板の汚染を防止すると共に載置効率を高めることができる技術が提案されているが、その一例として、図８に示すような、下記の特許文献１が挙げられる。
【特許文献１】日本国特開２０００−２０３６７９号公報（発明の名称；ガラス板の収納方法）
【０００４】
図８は、前記特許文献１に開示されている平面ガラス板の収納体を示す側面図である。図８に示すように、前記特許文献１に開示された収納体は、ガラス板Ｇを垂直方向に載置するための載置面１４ａと、この載置面１４ａの後端部から垂直方向に延びる背もたれ面１４ｂが、Ｌ字状の保持台上に形成され、載置面が背もたれ面に向けて２°乃至２０°下方に傾斜して形成され、複数枚のガラス板Ｇを背もたれ面１４ｂに立てかけることにより載置するようになる。また、各ガラス板Ｇの周縁部と各ガラス板Ｇ間には、積層されるガラス板Ｇの周縁部のみを取り囲む離間部材１５を介在させ、最前部に位置するガラス板Ｇの外側、及び最後部に位置するガラス板Ｇと背もたれ面１４ｂとの間には当て板１６、１７を介在させ、ガラス板Ｇと当て板１６，１７との間にも離間部材１５を介在させてガラス板Ｇの汚染及び損傷を防止している。また、前記特許文献１では、載置されたガラス板Ｇを固定するために、背もたれ面１４ｂと最前部の当て板１６にゴムバンド１８、１９を掛け渡して固定し、包装袋２０を上方から被せた後、さらにゴムバンド２１を掛け渡して密封している。
【０００５】
また、ガラス板Ｇの輸送時は、包装袋２０により密封した後、全体を覆うことができる別途の箱を被せた状態で輸送した後、箱と包装袋２０を取り外し、ゴムバンド２１を解いて載置されたガラスＧを降ろすようにしている。
【発明の開示】
【発明が解決しようとする課題】
【０００６】
しかし、前記特許文献１の場合、載置されたガラス板Ｇを包装するための包装袋２０や箱のような外部包装資材を別途に管理し、また、輸送後、取り外された外部包装資材を保管する空間を確保しなければならないという問題点があった。また、ガラス板Ｇが大型化されることにより、必要な作業者数が増加し、このため、作業効率が劣るだけでなく、手作業により仕上げ包装作業が行われるので、作業者が怪我をする危険があり、過ちにより、載置されたガラス板Ｇが損傷するという問題があった。しかも、上記した従来技術のように、載置されるガラス板Ｇの周縁部のみを離間させる離間部材１５を用いる場合は、ガラス板Ｇが大型化されることにより、たとえ垂直に立てて載置されても、載置されたガラス板Ｇの中間部分が撓んでしまう現象（ｓａｇｇｉｎｇ現象）が発生し、新たな離間部材が必要となっていた。
【０００７】
本発明は、上記問題点に鑑みなされたものであり、載置されたディスプレイ用平面ガラス板の包装作業を安全かつ效率的に行うことができるディスプレイ用平面ガラス板の包装コンテナを提供することを目的とする。
【０００８】
即ち、本発明は、載置されたディスプレイ用平面ガラス板を包装するための包装資材を一体型として、包装資材を別途に管理する必要がなく、作業効率を向上させるだけでなく、必要な作業者数を顕著に減らして費用を節減し、包装資材を保管する空間を確保する必要がない、ディスプレイ用平面ガラス板の包装コンテナを提供することを目的とする。
【課題を解決するための手段】
【０００９】
上記の目的を達成するため、本発明のディスプレイ用平面ガラス板の包装コンテナは、複数枚のディスプレイ用平面ガラス板を垂直に載置及び包装するためのディスプレイ用平面ガラス板の包装コンテナであって、ディスプレイ用平面ガラス板の包装コンテナの基本骨格を形成し、載置される各ディスプレイ用平面ガラス板の下端を支持するために形成される載置面と、この載置面の後端部に載置面と垂直をなして形成され、各ディスプレイ用平面ガラス板の背面を支持する背もたれ面とを有する載置フレームと、載置されたディスプレイ用平面ガラス板を固定するための平面ガラス板固定装置と、載置フレームの正面の一端に一側端が固定されて開閉されると共に、載置フレームの開放された正面を開閉する正面ドアと、背もたれ面と載置面の両側端を連結して形成される載置フレームの左右側面壁の上端に設けられるレールに沿って、前後に動くと共に載置フレームの開放された上面を開閉する摺動ドアとを備えることを特徴とする。
【００１０】
また、載置面の上面、背もたれ面の正面、及び背もたれ面と載置面の両側端を連結して形成される載置フレームの側面壁の内側に、ディスプレイ用平面ガラス板を保護するための緩衝材をさらに備え、また、載置されたディスプレイ用平面ガラス板間に配置され、載置されたディスプレイ用平面ガラス板の全体面または全体面の少なくとも９０％以上を覆う離間材と、載置されたディスプレイ用平面ガラス板のうち最前部に載置されたディスプレイ用平面ガラス板の前に載置される補強材とをさらに備えることが好ましい。
【００１１】
また、前記平面ガラス板固定装置が、クランプで構成され、または左右１対の伸縮性のあるベルトと、各ベルトの固定されていない一端で相互締結をなす締結手段とで構成されることが好ましい。
【００１２】
また、前記正面ドアが、背もたれ面と載置面の両側端を連結して形成される載置フレームの左右側面壁にそれぞれ一側端が固定され、屏風のように多段で構成されて開閉されると共に、載置フレームの開放された正面を開閉する左右ドアで構成されることが好ましい。
【００１３】
また、ディスプレイ用平面ガラス板の包装コンテナが、載置フレームの左右側面壁の上端を相互連結し、左右ドアの固定されていない一側端の上端がそれぞれ締結されて左右ドアの動きをガイドする第１のドアレールと、載置フレームの左右側面壁の下端を相互連結し、左右ドアの固定されていない一側端の下端がそれぞれ締結されて左右ドアの動きをガイドする第２のドアレールとをさらに備えることが好ましい。
【００１４】
また、本発明の他のディスプレイ用平面ガラス板の包装コンテナは、複数枚のディスプレイ用平面ガラス板を垂直に載置及び包装するためのディスプレイ用平面ガラス板の包装コンテナであって、ディスプレイ用平面ガラス板の包装コンテナの基本骨格を形成し、載置される各ディスプレイ用平面ガラス板の下端を支持するために形成される載置面と、この載置面の後端部に載置面と垂直をなして形成され、各ディスプレイ用平面ガラス板の背面を支持する背もたれ面とを有する載置フレームと、載置されたディスプレイ用平面ガラス板を固定するための平面ガラス板固定装置と、相互連結されている複数個のドア片からなり、各ドア片が回転して互いに重ねられることにより、載置フレームの開放された正面を開閉する正面ドア片と、互いに重ねられた正面ドア片が回転して重ねられ、前後に動いて載置フレームの開放された側面を開閉する左右の側面ドアと、載置面の上面部と載置面の後方に延長形成され、各側面ドアの下端部が係着され各側面ドアの前後方向の動きを支持する支持枠とを備えることを特徴とする。
また、前記各側面のドアの下端部には、支持枠に締結される突起が設けられていることが好ましい。
【００１５】
また、本発明の他のディスプレイ用平面ガラス板の包装コンテナは、複数枚のディスプレイ用平面ガラス板を垂直に載置及び包装するためのディスプレイ用平面ガラス板の包装コンテナであって、ディスプレイ用平面ガラス板の包装コンテナの基本骨格を形成し、載置される各ディスプレイ用平面ガラス板の下端を支持するために形成される載置面と、この載置面の後端部に載置面と垂直をなして形成され、各ディスプレイ用平面ガラス板の背面を支持する背もたれ面とを有する載置フレームと、載置されたディスプレイ用平面ガラス板を固定するための平面ガラス板固定装置と、相互連結されている複数個のドア片からなり、前記各ドア片が回転して互いに重ねられることにより、載置フレームの開放された正面を開閉する正面ドア片と、互いに重ねられた正面ドア片が回転して重ねられ、前後に動いて載置フレームの開放された側面を開閉する側面ドア片とからなる左右の第１のドアと、載置フレームの開放された上面を開閉する第２のドアとを備えることを特徴とする。
【００１６】
また、前記側面ドア片が、上端に所定の大きさで突設された係止段を有し、ディスプレイ用平面ガラス板の包装コンテナが、第１の端部が係止段に接触して前後に動き、第２の端部が第２のドアの底面を受けながら固定される第１のリンク片と、第１の端部が載置フレームの上端の後方に固定され、第２の端部が第１のリンク片に締結されている第２のリンク片とからなる折畳式リンクをさらに備え、側面ドア片の後方への動きが係止段を介して伝達され、折畳式リンクが折り畳まれると共に第２のドアを持ち上げるようにし、このとき、折畳式リンクが複数個であり、各折畳式リンクの第１のリンク片の第１の端部を相互連結させる連結棒をさらに備えることが好ましい。
【００１７】
また、正面ドア片をなす各ドア片が、中央のドア片よりも外廓のドア片の幅がさらに広く形成されようにし、正面ドア片の各ドア片と側面ドア片の上端と下端には相互蝶番で連結される連結リンクをさらに備えることが好ましい。
【００１８】
また、載置面の上面と背もたれ面の正面に、ディスプレイ用平面ガラス板を保護するための緩衝材をさらに備えることが好ましい。
【００１９】
また、平面ガラス板固定装置が、前端が開放されたコ字状で形成され、垂直方向に折り曲げられ、背もたれ面の前方に左側端と右側端に左右１対をなしてそれぞれ設けられる複数個の支持棒結束手段と、長い棒状をなして両端部が左右の各支持棒結束手段の開放された前端に挿入及び結束される支持棒とからなり、このとき、各支持棒結束手段が、支持棒の両端部が挿入して接触する一面が歯車状からなることが好ましい。
【発明の効果】
【００２０】
本発明によると、ディスプレイ用平面ガラス板を載置するための載置フレームと載置されたディスプレイ用平面ガラス板を包装するための包装資材を一体型で構成することにより、ディスプレイ用平面ガラス板の載置と包装作業を安全かつ効率的に行うことができる。
【００２１】
即ち、第１に、正面ドアと摺動ドアのように載置フレームと一体となった一体型の包装資材を用いることにより、包装資材を管理するための別途の作業者と空間が必要なく、作業費用の節減と共に作業効率を向上させることができる。
【００２２】
第２に、従来の場合は、垂直方向に載置される平面ガラス板の間に挿入される離間部材として、平面ガラス板の周縁部のみを離間させる離間材を挿入することにより、大型ガラス（大体、縦１ｍ×横１ｍを超えるガラス）の場合、ｓａｇｇｉｎｇ現象が発生したが、本発明によると、垂直で載置される平面ガラス板と平面ガラス板との間に、全体面または全体面の少なくとも９０％以上の面を接触させる離間材を用いることにより、ｓａｇｇｉｎｇ現象を防止することができる。
【００２３】
第３に、載置されたディスプレイ用平面ガラス板が接触する全面に緩衝材を付着して、ディスプレイ用平面ガラス板の損傷を防止し、緩衝材を脱着可能にして摩耗または損傷した緩衝材を交替することができる。
【００２４】
第４に、ディスプレイ用平面ガラス板間に離間材を介在させることにより、ディスプレイ用平面ガラス板間の接触による汚染を防止し、また、最前部に載置されたディスプレイ用平面ガラス板の正面には補強材を載置することにより、外部衝撃や平面ガラス板固定装置によるディスプレイ用平面ガラス板の損傷を防止することができる。
【００２５】
第５に、平面ガラス板固定装置を伸縮性のあるゴム材質で形成し、長さ調節手段を設けることにより、載置量やディスプレイ用平面ガラス板の厚さが異なる場合にも同様に適用することができる。
【００２６】
第６に、互いに重ねられながら載置フレームの正面と側面を開閉する第１のドアとこの第１のドアの後方への動きにより自動に開く第２のドアとを備えることにより、第２のドアを自動に開閉することができるので、ディスプレイ用平面ガラス板を載置しまたは降ろす作業工程を少なくすることができる。
【００２７】
第７に、ドアの構造と形状、及び平面ガラス板固定装置を様々に変形することができ、その応用の範囲が広い。
【発明を実施するための最良の形態】
【００２８】
本発明のディスプレイ用平面ガラス板の包装コンテナでは、載置フレームと、平面ガラス板固定装置と、正面ドアと、摺動ドアとを備えている。
【００２９】
前記載置フレームは、前記ディスプレイ用平面ガラス板の包装コンテナの基本骨格を形成し、載置される前記各ディスプレイ用平面ガラス板の下端を支持するために形成される載置面と、前記載置面の後端部に前記載置面と垂直をなして形成され、前記各ディスプレイ用平面ガラス板の背面を支持する背もたれ面とを有している。前記載置フレームに載置されたディスプレイ用平面ガラス板は、前記平面ガラス板固定装置により固定される。前記正面ドアは、前記載置フレームの正面の一端に一側端が固定されて開閉されると共に、前記載置フレームの開放された正面を開閉する。さらに、前記摺動ドアは、前記背もたれ面と前記載置面の両側端を連結して形成される前記載置フレームの左右側面壁の上端に設けられるレールに沿って、前後に動くと共に前記載置フレームの開放された上面を開閉する。
【００３０】
本発明の他のディスプレイ用平面ガラス板の包装コンテナでは、載置フレームと、平面ガラス板固定装置と、左右の第1のドアと、第2のドアとを備えている。
【００３１】
前記載置フレームは、前記ディスプレイ用平面ガラス板の包装コンテナの基本骨格を形成し、載置される前記各ディスプレイ用平面ガラス板の下端を支持するために形成される載置面と、前記載置面の後端部に載置面と垂直をなして形成され、前記各ディスプレイ用平面ガラス板の背面を支持する背もたれ面とを有している。前記載置フレームに載置されたディスプレイ用平面ガラス板は、前記平面ガラス板固定装置で固定される。前記左右の第1のドアは、正面ドア片と、側面ドア片とで構成されている。前記正面ドア片は、相互連結されている複数個のドア片からなり、前記各ドア片が回転して互いに重ねられることにより、前記載置フレームの開放された正面を開閉する。前記側面ドア片は、互いに重ねられた前記正面ドア片が回転して重ねられ、前後に動いて前記載置フレームの開放された側面を開閉し、上端に所定の大きさで突設された係止段を有している。さらに、前記第2のドアは、前記載置フレームの開放された上面を開閉する。
【００３２】
以上、本発明を実施するための最良の形態について特定の用語を用いて記述したが、これらの技術は単に説明のためのものであり、特許請求の範囲の技術的思想と範囲内で種々変更及び変化させて実施が可能であることは言うまでもない。
【００３３】
以下、本発明の実施例を、添付図面に基づいて詳しく説明する。
【実施例１】
【００３４】
図１は、本発明によるディスプレイ用平面ガラス板の包装コンテナにおける実施例1を示す斜視図である。図２は、本発明によるディスプレイ用平面ガラス板の包装コンテナにおける実施例1の使用状態図であって、（ａ）は、本発明によるディスプレイ用平面ガラス板の包装コンテナにディスプレイ用平面ガラス板を載置した状態を示す図であり、（ｂ）は、ディスプレイ用平面ガラス板を載置した後、ディスプレイ用平面ガラス板の包装コンテナのドアを閉めた状態を示す図である。
【００３５】
図１と図２を参照して、本発明によるディスプレイ用平面ガラス板の包装コンテナについて説明する。
【００３６】
本発明によるディスプレイ用平面ガラス板の包装コンテナ１００は、コンテナの基本骨格を形成して水平方向に載置面１１２が形成され、この載置面１１２と垂直方向には背もたれ面１１４が形成される載置フレーム１１０と、載置されたディスプレイ用平面ガラス板１２０を保護するために、最前部に載置されたディスプレイ用平面ガラス板１２０の前面に配置される補強材１２４と、載置されたディスプレイ用平面ガラス板１２０を固定するための平面ガラス板固定装置１３０と、載置されたディスプレイ用平面ガラス板１２０を外部の衝撃から保護するための左右ドア１４０ａ、１４０ｂ及び摺動ドア１４５とを備えている。
【００３７】
前記載置フレーム１１０は、ディスプレイ用平面ガラス板１２０の包装コンテナ１００の基本骨格を形成しており、水平方向には下端に載置面１１２が形成され、また垂直方向には背もたれ面１１４が形成されている。載置面１１２は、ディスプレイ用平面ガラス板１２０の載置時に、このディスプレイ用平面ガラス板１２０の下端を支持する部分であり、上面に緩衝材１１３を付着することにより、ディスプレイ用平面ガラス板１２０の自重と外部からの振動や衝撃を緩衝させるようにする。また、背もたれ面１１４は、ディスプレイ用平面ガラス板１２０の載置時にこのディスプレイ用平面ガラス板１２０の背面を支持する部分であり、正面に緩衝材１１５を付着することにより、ディスプレイ用平面ガラス板１２０の自重と外部からの振動及び衝撃を緩衝させるようにする。また、背もたれ面１１４と載置面１１２の両側端を連結して前方に向けて突設される載置フレーム１１０の両側面壁１１０ａ、１００ｂの内側にも緩衝材１１１を付着することが好ましい。このとき、側面壁１１０ａ、１１０ｂと載置面１１２と背もたれ面１１４に付着される緩衝材１１１、１１３、１１５は、着脱可能にして必要に応じて交替することができるようにし、このため、側面壁１１０ａ、１１０ｂと載置面１１２と背もたれ面１１４の接触面と緩衝材１１１、１１３、１１５の一面とをマジックテープで形成することができる。
【００３８】
載置面１１２と背もたれ面１１４は、相互垂直をなしてＬ字状で形成され、載置面１１２と背もたれ面１１４の結合体が全体的に後方に向けて所定角度のだけ傾斜した状態で載置フレーム１１０に取り付けられている。即ち、載置面１１２は、上部に向けて所定角度だけ傾斜し、背もたれ面１１４もまた後方に向けて所定角度だけ傾斜するようにする。従って、載置面１１２と背もたれ面１１４にディスプレイ用平面ガラス板１２０を安定的に載置することができるようになる。
【００３９】
前記補強材１２４は、載置されたディスプレイ用平面ガラス板１２０を外部衝撃から保護するためのものであり、載置されたディスプレイ用平面ガラス板１２０のうち最前部に載置されたディスプレイ用平面ガラス板１２０の正面に配置される。また、補強材１２４は、ディスプレイ用平面ガラス板１２０を固定するとき、平面ガラス板固定装置１３０が補強材１２４の正面において結着されまたは締め付けられて、平面ガラス板固定装置１３０により、ディスプレイ用平面ガラス板１２０に衝撃が加えられまたは損傷することを防止することができる。
【００４０】
前記平面ガラス板固定装置１３０は、載置されたディスプレイ用平面ガラス板１２０を載置フレーム１１０に固定するためのものであり、背もたれ面１１４の両方に設けられる溝に一体型で固定される左右１対のベルト１３０ａ、１３０ｂからなる。この平面ガラス板固定装置１３０の両ベルト１３０ａ、１３０ｂは、伸縮性に優れたゴム材質で形成することが好ましく、載置されるディスプレイ用平面ガラス板１２０の数量に応じてかばんの紐のように長さ調節が可能な長さ調節手段（図示せず）を設けることが好ましい。また、両ベルト１３０ａ、１３０ｂの固定されなかった一端には、相互締結が可能に締結手段１３２（１３２ａ、１３２ｂ）を設けるようにする。この締結手段１３２（１３２ａ、１３２ｂ）は、バックルやフックの形態で形成することが好ましい。これによって、平面ガラス板固定装置１３０は、載置されたディスプレイ用平面ガラス板１２０を囲んで締め付けるようになり、補強材１２４の正面において締結手段１３２により相互締結するようになる。また、載置されたディスプレイ用平面ガラス板１２０を安定的に固定させるように、平面ガラス板固定装置１３０は上下に少なくとも２つ設けるようにする。そして、図１と図２では、平面ガラス板固定装置１３０が左右１対のベルトからなる場合を示しているが、これとは異なり、上下１対をなす２つのベルトで構成し、また、ベルト以外にも支持棒またはクランプのように様々な形態で構成することができることは勿論である。
【００４１】
前記ドア１４０ａ、１４０ｂ、１４５は、外部の物理的衝撃から、載置されたディスプレイ用平面ガラス板１２０を保護するための一体型の包装資材であり、載置フレーム１１０の正面を覆うための左右ドア１４０ａ、１４０ｂと、上面を覆うための摺動ドア１４５とからなっている。
【００４２】
前記左右ドア１４０ａ、１４０ｂは、左右にそれぞれ屏風のように多段で形成されて開閉可能に構成され、図２（ａ）と図２（ｂ）では、左右ドアドア１４０ａ、１４０ｂがそれぞれ２段で構成された場合を示している。また、左右ドア１４０ａ、１４０ｂを閉めた後は、このドア１４０ａ、１４０ｂが不意に開くことを防止するために、ドア止め装置（図示せず）をさらに設けている。
【００４３】
前記ドア止め装置は、左右ドア１４０ａ、１４０ｂに相互締結可能にフックの形態で構成することができ、また、左右ドア１４０ａ、１４０ｂの接触面に磁石を付着して、磁力で左右ドア１４０ａ、１４０ｂを締結させることもできる。
【００４４】
なお、図２（ａ）と図２（ｂ）では、左右ドア１４０ａ、１４０ｂの両端部のみが載置フレーム１１０の側面壁１１０ａ，１１０ｂに締結され、屏風のように開閉される場合について示したが、左右ドア１４０ａ、１４０ｂの上端及び／または下端の動きを支持するレールを設け、左右ドア１４０ａ、１４０ｂがレールに沿って開閉されるように構成してもよい。例えば、載置面１１２の前端部に所定深さの溝で形成されたドアレールを設け、載置フレーム１１０の側面壁１１０ａ，１１０ｂに締結されていない左右ドア１４０ａ、１４０ｂの他側端の下端部を前記ドアレールに締結することにより、左右ドア１４０ａ、１４０ｂがレールに沿って開閉されるようにする。これによって、左右ドア１４０ａ、１４０ｂをより安定的に開閉することができ、この左右ドア１４０ａ、１４０ｂを閉めたとき、各ドア１４０ａ、１４０ｂの下端が自然に固定される利点がある。また、図２（ａ）と図２（ｂ）では、左右両側にそれぞれ左右ドア１４０ａ、１４０ｂを１つずつ設けた場合について示したが、これとは異なり、１つのドアで構成することもできることは勿論である。この場合、左側端または右側端が載置フレーム１１０に固定され、多段からなる１つのドアを側面方向に開閉することができるようになる。
【００４５】
前記摺動ドア１４５は、載置フレーム１１０の側面壁１１０ａ、１１０ｂの上端に設けられるレールに沿って前後に摺動すると共に、載置フレーム１１０の開放された上面領域を覆うようになる。従って、ディスプレイ用平面ガラス板１２０の載置後、左右ドア１４０ａ、１４０ｂを閉め、摺動ドア１４５を引っ張って閉めることにより、載置されたディスプレイ用平面ガラス板１２０の全面を包装することができるようになる。このとき、摺動ドア１４５の代わりに、載置フレーム１１０の上面の後方、即ち、背もたれ面１１４の上端に締結されて開閉される開閉ドアを設けてもよい。この場合、左右ドア１４０ａ、１４０ｂの上端と接触する開閉ドアの底面の前端には、左右ドア１４０ａ、１４０ｂの上端部を挟持するために、この左右ドア１４０ａ、１４０ｂの上端部と同一の幅と一定の深さを有する溝が設けられている。これによって、開閉ドアを用いて左右ドア１４０ａ、１４０ｂを固定させることができる。
【００４６】
次に、このようなディスプレイ用平面ガラス板の包装コンテナ１００を用いてディスプレイ用平面ガラス板１２０を載置及び輸送する過程について説明する。
【００４７】
清浄室で検査を終えたディスプレイ用平面ガラス板１２０を輸送するために、載置フレーム１１０に載置する。具体的に、ディスプレイ用平面ガラス板１２０の下端は載置面１１２により支持され、背面は背もたれ面１１４により支持されている。このとき、載置面１１２と背もたれ面１１４の結合体が後方に向けて所定角度だけ傾斜しているので、ディスプレイ用平面ガラス板１２０の載置状態を安定的に維持することができる。また、ディスプレイ用平面ガラス板１２０を載置するにあたって、それぞれのディスプレイ用平面ガラス板１２０間には離間材１２２を介在させることにより、ディスプレイ用平面ガラス板１２０間に相互接触による汚染または損傷が生じることを防止し、背もたれ面１１４に装着された緩衝材１１５と最後部に載置されるディスプレイ用平面ガラス板１２０との間にも離間材１２２を介在させることができる。また、離間材１２２とは別途に、ディスプレイ用平面ガラス板１２０の正面と背面にそれぞれ保護シートを付着させて汚染を防止することができる。従って、ディスプレイ用平面ガラス板１２０間には、保護シートが付着されて離間材１２２が配置され、または保護シートを付着せず、離間材１２２のみが配置される等の様々な形態で実施することが可能である。
【００４８】
ディスプレイ用平面ガラス板１２０を全て載置した後は、最前部に載置されたディスプレイ用平面ガラス板１２０の正面に補強材１２４を載置した後、平面ガラス板固定装置１３０の左右の両ベルト１３０ａ、１３０ｂを引っ張って互いに締結することにより、ディスプレイ用平面ガラス板１２０を固定させる。このとき、ディスプレイ用平面ガラス板１２０と補強材１２４との間にも離間材１２２を介在させることができることは勿論である。
【００４９】
ディスプレイ用平面ガラス板１２０の載置及び固定が完了すると、左右ドア１４０ａ、１４０ｂを中央に引っ張って閉めた後、ドア止め装置を締結して左右ドア１４０ａ、１４０ｂを閉ざす。また、ドア止め装置を磁石で構成すると、左右ドア１４０ａ、１４０ｂを完全に閉めることだけで、この左右ドア１４０ａ、１４０ｂが相互締結される。その後、摺動ドア１４５を前に引っ張って閉めて包装を完了し、輸送する。前記のように、摺動ドア１４５の代わりに、開閉ドアを備える場合は、開閉ドアを閉めた後、この開閉ドアの底面の溝に左右ドア１４０ａ、１４０ｂの上端を挟持するようになる。
【００５０】
また、輸送後、載置されたディスプレイ用平面ガラス板１２０を降ろすときは、摺動ドア１４５または開閉ドアを開けて、ドア止め装置の締結を解除し、左右ドア１４０ａ、１４０ｂを開ける。その後、平面ガラス板固定装置１３０の締結状態を解除した後、補強材１２４を取り出し、ディスプレイ用平面ガラス板１２０を１つずつ降ろすことになる。
【実施例２】
【００５１】
図３は、本発明によるディスプレイ用平面ガラス板の包装コンテナにおける実施例２を示す使用状態図であって、（ａ）は、ディスプレイ用平面ガラス板を載置した状態を示す図であり、（ｂ）は、ディスプレイ用平面ガラス板を載置した後、ドアを閉めた状態を示す図である。このディスプレイ用平面ガラス板の包装コンテナの実施例２では、図３（ａ）と図３（ｂ）に示すように、ドアとして折畳式ドア１５０ａ、１５０ｂと摺動ドア１４５を設けている。
【００５２】
以下、図３（ａ）と図３（ｂ）を参照して、本発明によるディスプレイ用平面ガラス板の包装コンテナの実施例２について説明するが、図１と図２におけると同一の構成要素についての説明は省略する。
【００５３】
図３（ａ）と図３（ｂ）に示すように、本発明によるディスプレイ用平面ガラス板の包装コンテナ１００における実施例２では、載置フレーム１１０の開放された正面を開閉するために、左右ドア１４０ａ、１４０ｂの代わりに、折畳式ドア１５０ａ、１５０ｂを設けている。折畳式ドア１５０ａ、１５０ｂは、扇子のように狭幅の一連の構成各片が折り畳まれまたは広げられながら開閉されるドアであり、ブラインドとして多く用いられている。本発明では、２つの折畳式ドア１５０ａ、１５０ｂが、その一側端が載置フレーム１１０の両側面壁１１０ａ、１１０ｂに固定された状態で開閉されるようになる。
【００５４】
しかし、折畳式ドア１５０ａ、１５０ｂを構成する構成各片の幅が狭いため、この折畳式ドア１５０ａ、１５０ｂの動きをガイドするレールがなければ、乱れまたははためくことがある。このため、本発明では、折畳式ドア１５０ａ、１５０ｂの動きをガイドするためのドアレール１５２、１５４を上端と下端に設けている。具体的には、載置フレーム１１０の両側面壁１１０ａ、１１０ｂの上端と下端を相互連結してドアレール１５２、１５４を設け、折畳式ドア１５０ａ、１５０ｂの固定されていない一側端の上端と下端をそれぞれドアレール１５２、１５４に締結させる。従って、使用者は、ディスプレイ用平面ガラス板１２０の載置が完了すると、折畳式ドア１５０ａ、１５０ｂを中央に引っ張って載置フレーム１１０の開放された正面を閉鎖し、載置されたディスプレイ用平面ガラス板１２０を降ろすときは、折畳式ドア１５０ａ、１５０ｂを両側に押して開放するようになる。このとき、ディスプレイ用平面ガラス板１２０を載置しまたは降ろす作業をするにあたって、折畳式ドア１５０ａ、１５０ｂに引っかからないように、ディスプレイ用平面ガラス板１２０と載置フレーム１１０の側面壁１１０ａ、１１０ｂとの間の空間は、十分な余裕を有するようにする。
【００５５】
また、折畳式ドア１５０ａ、１５０ｂを閉めた後に不意に開くことを防止するために、フックまたは磁石からなるドア止め装置（図示せず）をさらに設けることが好ましい。なお、図３（ａ）と図３（ｂ）では、折畳式ドア１５０ａ、１５０ｂを左右にそれぞれ設けた場合を示しているが、これとは異なり、１つの折畳式ドアで構成することもできる。
【００５６】
また、前記のように、載置フレーム１１０の開放された上面領域を覆うために、摺動ドア１４５を設けているが、この摺動ドア１４５の代わりに、開閉ドアを設けることもできることは勿論である。このとき、折畳式ドア１５０ａ、１５０ｂは、ドアレール１５２、１５４によって固定／締結されているので、開閉ドアの底面の前端には、前記のような左右ドア１４０ａ、１４０ｂの上端部を締結するための溝を設ける必要がない。
【００５７】
本発明によるディスプレイ用平面ガラス板の包装コンテナ１００の実施例２を用いて、ディスプレイ用平面ガラス板１２０を載置及び輸送する過程は、上述した載置及び輸送過程と類似するので、その説明を省略する。
【実施例３】
【００５８】
図４乃至図7は、本発明によるディスプレイ用平面ガラス板の包装コンテナにおける実施例３を示す使用状態図であって、図４は、第１のドアの一部を開放した状態を示す斜視図であり、図５は、第１のドアの開閉による第２のドアの開閉状態を示す正面図であり、図6と図7は、第１のドアの開閉による第２のドアの開閉状態を示す右側面図である。図５は、第１のドアと第２のドアの開閉状態を比較するために、左側には第１のドアと第２のドアが開いた状態を、また右側には第１のドアと第２のドアが閉じた状態を示している。また、図６と図７では、折畳式リンクによる第２のドアの開閉をより明確に示すために、第２のドアの側面を除去した状態を示している。
【００５９】
以下、図４乃至図７を参照して、本発明によるディスプレイ用平面ガラス板の包装コンテナの実施例３について説明するが、この実施例３でも、図１と図２において既に説明した構成部材についてはその説明を省略する。
【００６０】
本発明によるディスプレイ用平面ガラス板の包装コンテナにおける実施例３では、載置フレーム１１０の開放された側面と正面を開閉するために第１のドア１６０を左右にそれぞれ設け、載置フレーム１１０の開放された上面を開閉するために第２のドア１６５を設けている。
【００６１】
左右の第１のドア１６０は、載置フレーム１１０の正面から側面まで複数のドア片１６０ａ、１６０ｂ、１６０ｃ、１６０ｄからなり、これらの各ドア片１６０ａ、１６０ｂ、１６０ｃ、１６０ｄは、内側から外側に順に重ねながら開放させることができる。具体的に、右側正面の各ドア片を内側から外側への順に第１のドア片１６０ａ、第２のドア片１６０ｂ、第３のドア片１６０ｃといい、側面のドア片を第４のドア片１６０ｄというとき、先ず、第１のドア片１６０ａを前に１８０°回転させて第２のドア片１６０ｂに重ね、重ねられた第１のドア片１６０ａと第２のドア片１６０ｂをまた前に１８０°回転させて第３のドア片１６０ｃに重ねる。次に、重ねられた第１のドア片１６０ａ、第２のドア片１６０ｂ、及び第３のドア片１６０ｃを２７０°回転させて側面の第４のドア片１６０ｄに重ねる。従って、各ドア片１６０ａ、１６０ｂ、１６０ｃ、１６０ｄは、内側から外側に行くほど、幅が段々広くなるようにすることが好ましい（第１のドア片１６０ａ＜第２のドア片１６０ｂ＜第３のドア片１６０ｃ）。また、各ドア片１６０ａ、１６０ｂ、１６０ｃ、１６０ｄを相互連結して容易に重ねるようにするため、各ドア片１６０ａ、１６０ｂ、１６０ｃ、１６０ｄの上端と下端には、相互連結された連結リンク１６１、１６２が設けられ、この連結リンク１６１、１６２は、各ドア片１６０ａ、１６０ｂ、１６０ｃ、１６０ｄ間の連結部分に蝶番が設けられている。
【００６２】
また、側面の第４のドア片１６０ｄの上端と下端には、所定の大きさの突起（上部突起、下部突起、図示せず）が設けられ、載置フレーム１１０の左右の上端と下端には、上部突起と下部突起がそれぞれ締結可能に支持枠（図６において、載置面１１２の上面部と載置面１１２の後方に延長形成された下端支持枠１６９のみを図示し、上端支持枠は図示せず）が設けられている。これによって、第４のドア片１６０ｄは、上部突起と下部突起、及び上端支持枠と下端支持枠１６９により支持されるだけでなく、これらの支持枠１６９に沿って前後に動くようになる。
【００６３】
従って、第１のドア片１６０ａ、第２のドア片１６０ｂ、及び第３のドア片１６０ｃを、第４のドア片１６０ｄに全て重ねた後、第４のドア片１６０ｄを後に押して載置フレーム１１０の正面と側面を完全に開放させることができる。
【００６４】
左側の第１のドア１６０の構成と動作は、前記右側の第１のドア１６０と同様であるので、詳細な説明は省略する。
【００６５】
第２のドア１６５は、載置フレーム１１０の上面を開閉するにおいて、左右の第１のドア１６０の動きにより自動的に開閉可能に構成されている。このため、左右の第１のドア１６０の第４のドア片１６０ｄの上端の前方には、上部突起以外に上部に所定の大きさだけ突設された係止段１６３が設けられており、第２のドア１６５の下部には、載置フレーム１１０の上端に設けられ、第２のドア１６５の底面を受ける折畳式リンク１６６が設けれている。折畳式リンク１６６は、一端部が相互締結された第１、第２のリンク片からなり、各リンク片の締結されていない一端部に対向する方向に加えられる力で折り畳まれるようになっている。本発明では、折畳式リンク１６６の第１、第２のリンク片は、締結されていない一端部（第１のリンク片の第１の端部１６６ａ、第２のリンク片の第１の端部１６６ｂ）のうち前方の第１のリンク片の第１の端部１６６ａが、左右の第４のドア片１６０ｄの上端の係止段１６３と当接して前後に動き、後方の第２のリンク片の第１の端部１６６ｂは、載置フレーム１１０の上端の後方に固定されている。また、第１、第２のリンク片が締結された他端部（第１、第２のリンク片の第２の端部１６６ｃ）は、第２のドア１６５の底面を受けながら固定されている。
【００６６】
従って、左右側面の第４のドア片１６０ｄを後に押すと、係止段１６３に押されて折畳式リンク１６６における第１のリンク片の第１の端部１６６ａが後に押されるが、このとき、第２のリンク片の第１の端部１６６ｂは固定されているので、第１、第２のリンク片が互いに密着されて折畳式リンク１６６が折り畳まれ、これによって、第１、第２のリンク片の第２の端部１６６ｃが第２のドア１６５の底面を押し上げて開放させるようになる。
【００６７】
また、第１のドア１６０を閉めるために、左右側面の第４のドア片１６０ｄを前に引っ張ると、第１の端部１６６ａへの押圧力が解除されるので、第２のドア１６５の自重により折り畳まれていた折畳式リンク１６６が広げられることによって、第２のドア１６５が閉じるようになる。作業者は、第４のドア片１６０ｄを完全に前に引っ張った後、第４のドア片１６０ｄの上に重ねられていた第３のドア片１６０ｃ、第２のドア片１６０ｂ、及び第１のドア片１６０ａを順に広げて第１のドア１６０を閉めるようになる。
【００６８】
折畳式リンク１６６は、第２のドア１６５を安定に開閉させるために、複数個が左右対称をなして設けられていることが好ましい。また、折畳式リンク１６６は、図５の正面図に示すように、種々の形態の折畳式リンク１６６、１６７を用いることができ、各折畳式リンク１６６、１６７は、第１の連結棒１６８ａと第２の連結棒１６８ｂで連結され、相互力が伝達されるようになっている。また、前記では、折畳式リンク１６６の第１の端部１６６ａが係止段１６３と接触し、この係止段１６３の動きによる力を伝達された場合について説明したが、これとは異なり、第２の連結棒１６８ｂで各折畳式リンク１６６の第１の端部１６６ａを連結し、第２の連結棒１６８ｂの両端部が係止段１６３と接触可能に構成できることは勿論である。この場合、係止段１６３に第２の連結棒１６８ｂが押されると共に、その力が第１の端部１６６ａに伝達されることによって、折畳式リンク１６６が折り畳まれる。
【００６９】
また、本発明によるディスプレイ用平面ガラス板の包装コンテナの実施例３では、平面ガラス板固定装置として、支持棒１３５とこの支持棒１３５を固定／結束させるための支持棒結束手段１３６、１３７とが設けられている。支持棒１３５は、ディスプレイ用平面ガラス板１２０を載置した後、それを固定させるためのものであり、長い棒状をなして、両端部は支持棒結束手段１３６、１３７により噛合固定されるように歯車状で形成することが好ましい。支持棒結束手段１３６、１３７は、左右１対をなして、支持棒１３５の両端部をそれぞれ結束させる構成部であって、前端が開放されたコ字状をなして、開放された前端に支持棒１３５の端部が挿着され、支持棒１３５が挿入される内側の上下には、支持棒１３５の歯車と噛み合わされることにより支持棒１３５を結束させるための歯車１３７ａが設けられている。また、支持棒結束手段１３６、１３７は、ディスプレイ用平面ガラス板１２０を載置しまたは降ろす作業を容易にするために、上方または下方に所定の角度、好ましくは９０°で折畳可能になっている。
【００７０】
また、支持棒結束手段１３６、１３７と支持棒１３５の結束状態を解除するために、支持棒結束手段１３６、１３７と支持棒１３５の両端部の噛み合われた歯車１３７ａ間に離隔を形成するようにレバー（図示せず）が設けられ、このレバーは支持棒結束手段１３６、１３７または支持棒１３５に設けられている。
【００７１】
また、支持棒結束手段１３６、１３７は、ディスプレイ用平面ガラス板１２０の安定的な固定のために左右１対をなして上下に設けられ、これによって支持棒１３５もまた上下に２つ設けられるようになる。
【００７２】
以下、このような支持棒１３５と支持棒結束手段１３６、１３７を用いてディスプレイ用平面ガラス板１２０を固定し、固定状態を解除する過程について説明する。
【００７３】
先ず、ディスプレイ用平面ガラス板１２０を全て載置し、補強材１２４を載置した後、折り曲げられていた支持棒結束手段１３６、１３７を広げる。このとき、支持棒結束手段１３６、１３７は、ディスプレイ用平面ガラス板１２０の載置前に予め広げてもよいことは勿論である。その後、左右の対応する支持棒結束手段１３６、１３７の開放された前端に支持棒１３５の両端部を合わせて押すことにより支持棒１３５を結束させる。このとき、支持棒結束手段１３６、１３７と支持棒１３５の歯車１３７ａの噛合により、支持棒１３５が抜けないようになる。また、載置されたディスプレイ用平面ガラス板１２０を降ろすために、レバーを引っ張って支持棒結束手段１３６、１３７と支持棒１３５の歯車１３７ａに離隔を形成した後、支持棒１３５を前に引っ張って抜き出す。その後、支持棒結束手段１３６、１３７を上下に折り畳んだ後、ディスプレイ用平面ガラス板１２０を降ろすようになる。
【００７４】
また、このようなディスプレイ用平面ガラス板の包装コンテナの実施例３では、平面ガラス板固定装置として支持棒１３５と支持棒結束手段１３６、１３７を有する場合について図示及び説明したが、これとは異なり、ベルト１３０ａ、１３０ｂと締結手段１３２ａ、１３２ｂまたはクランプを有してもよいことは勿論である。同様に、図１乃至図３の実施例１、２において、平面ガラス板固定装置として支持棒１３５と支持棒結束手段１３６、１３７を用いてもよい。
【産業上の利用可能性】
【００７５】
本発明のディスプレイ用平面ガラス板の包装コンテナは、ディスプレイ用平面ガラス板以外の他の用途のガラス板を包装する場合にも利用できる。
【図面の簡単な説明】
【００７６】
【図１】本発明によるディスプレイ用平面ガラス板の包装コンテナにおける実施例１を示す斜視図である。
【図２】本発明によるディスプレイ用平面ガラス板の包装コンテナにおける実施例１の使用状態図である。
【図３】本発明によるディスプレイ用平面ガラス板の包装コンテナにおける実施例２の使用状態図である。
【図４】本発明によるディスプレイ用平面ガラス板の包装コンテナにおける実施例３の使用状態図である。
【図５】本発明によるディスプレイ用平面ガラス板の包装コンテナにおける実施例３の使用状態図である。
【図６】本発明によるディスプレイ用平面ガラス板の包装コンテナにおける実施例３の使用状態図である。
【図７】本発明によるディスプレイ用平面ガラス板の包装コンテナにおける実施例３の使用状態図である。
【図８】特許文献１に開示された平面ガラス板の収納体を示す側面図である。
【符号の説明】
【００７７】
１００  ディスプレイ用平面ガラス板の包装コンテナ
１１０  載置フレーム
１１１、１１３、１１５  緩衝材
１１２  載置面
１１４  背もたれ面
１２０  ディスプレイ用平面ガラス板
１２２  離間材
１２４  補強材
１３０  平面ガラス板固定装置
１４０ａ、１４０ｂ  左右ドア
１４５  摺動ドア
１５０ａ、１５０ｂ  折畳式ドア
１６０  第１のドア
１６５  第２のドア
１６６  折畳式リンク
【要約】
【課題】  所定角度だけ傾斜したＬ字状のフレームに複数枚のディスプレイ用平面ガラス板を大量載置し、包装資材がフレームと一体型となり、作業効率を高めることができる包装コンテナに関する。
【解決手段】  ディスプレイ用平面ガラス板の包装コンテナ１００の基本骨格を形成し、載置される各ガラス板の下端を支持するために形成される載置面１１２と、この載置面１１２の後端部に載置面１１２と垂直をなして形成され、各ガラス板の背面を支持する背もたれ面１１４とを有する載置フレーム１１０と、載置されたガラス板を固定するための平面ガラス板固定装置１３０と、載置フレーム１１０の正面の一端に一側端が固定されて開閉されると共に、載置フレーム１１０の開放された正面を開閉するドア１４０ａ、１４０ｂと、載置フレーム１１０の上端に一側端が固定されて開閉されると共に、載置フレーム１１０の開放された上面を開閉するドア１４５とを備える。
【選択図】  図１
【図１】
0003638937.tif 000002
【図２】
0003638937.tif 000003
【図３】
0003638937.tif 000004
【図４】
0003638937.tif 000005
【図５】
0003638937.tif 000006
【図６】
0003638937.tif 000007
【図７】
0003638937.tif 000008
【図８】
0003638937.tif 000009